【手続補正書】
【提出日】平成26年9月10日(2014.9.10)
【手続補正１】
【補正対象書類名】明細書
【補正対象項目名】発明の名称
【補正方法】変更
【補正の内容】
【発明の名称】画像表示装置、画像表示プログラム、及び画像表示方法
【手続補正２】
【補正対象書類名】明細書
【補正対象項目名】０００１
【補正方法】変更
【補正の内容】
【０００１】
本発明は、画像表示装置、画像表示プログラム、及び画像表示方法に関する。
【手続補正３】
【補正対象書類名】明細書
【補正対象項目名】０００５
【補正方法】変更
【補正の内容】
【０００５】
本発明は、このような点に鑑みてなされたものであり、その目的とするところは、画像の表示が単調になることを従来よりも防止できる画像表示装置、画像表示プログラム、及び画像表示方法を提供することにある。
【手続補正４】
【補正対象書類名】明細書
【補正対象項目名】０００６
【補正方法】変更
【補正の内容】
【０００６】
上記目的を達成するため、本発明に係る画像表示装置は、
画像を表す第一画像情報を記憶する画像情報記憶部と、
前記画像情報記憶部に記憶されていない前記第一画像情報と異なる第二画像情報を入力する情報入力部と、
前記情報入力部が入力した前記第二画像情報で表される画像の表示が開始される表示開始タイミングを決定する決定部と、
前記画像情報記憶部に記憶されている前記第一画像情報で表される前記画像を表示するタイミングの前及び後の少なくとも一方である、前記決定部で決定された表示開始タイミングになると、前記情報入力部で入力された前記第二画像情報で表される画像を表示する表示部と、を備える、
ことを特徴とする。
【手続補正５】
【補正対象書類名】明細書
【補正対象項目名】０００７
【補正方法】変更
【補正の内容】
【０００７】
本発明の画像表示装置、画像表示プログラム、及び画像表示方法によれば、画像の表示が単調になることを従来よりも防止できる。
【手続補正６】
【補正対象書類名】特許請求の範囲
【補正対象項目名】全文
【補正方法】変更
【補正の内容】
【特許請求の範囲】
【請求項１】
画像を表す第一画像情報を記憶する画像情報記憶部と、
前記画像情報記憶部に記憶されていない前記第一画像情報と異なる第二画像情報を入力する情報入力部と、
前記情報入力部が入力した前記第二画像情報で表される画像の表示が開始される表示開始タイミングを決定する決定部と、
前記画像情報記憶部に記憶されている前記第一画像情報で表される前記画像を表示するタイミングの前及び後の少なくとも一方である、前記決定部で決定された表示開始タイミングになると、前記情報入力部で入力された前記第二画像情報で表される画像を表示する表示部と、を備える、
ことを特徴とする画像表示装置。
【請求項２】
前記表示部の表示方向に向けて撮像する撮像部を備え、
前記第二画像情報は、前記撮像部が撮像した撮像画像を表す情報を含む、
ことを特徴とする請求項１に記載の画像表示装置。
【請求項３】
前記撮像画像からユーザを検出するユーザ検出部をさらに備え、
前記情報入力部は、前記第二画像情報と、前記第二画像情報で表される画像を表示する表示先として指定されたユーザを識別するユーザ識別情報と、を入力し、
前記ユーザ検出部は、前記情報入力部で入力されたユーザ識別情報で識別されるユーザを前記撮像画像から検出し、
前記決定部は、前記ユーザ検出部が前記ユーザ識別情報で識別されるユーザを検出してから所定時間以内のタイミングを、前記表示開始タイミングとする、
ことを特徴とする請求項２に記載の画像表示装置。
【請求項４】
前記撮像部が撮像を行う間、伝言音声を収集する音声収集部をさらに備え、
前記情報入力部は、前記音声収集部が収集した音声を表す音声情報と、前記音声が収集されている間において撮像された前記撮像画像を表す情報を含む前記第二画像情報と、を入力し、
前記情報入力部が入力するユーザ識別情報で識別されるユーザは、前記音声を聞かせる相手として指定されたユーザでもあり、
前記決定部は、前記音声を聞かせる相手として指定されたユーザが検出されてから所定時間以内のタイミングを、前記音声が収集されている間において撮像された前記撮像画像の表示開始タイミングとし、
前記音声が収集されている間において前記撮像された撮像画像が前記表示部で表示されている間、前記情報入力部で入力された音声情報で表される音声を出力する音声出力部をさらに備える、
ことを特徴とする請求項２又は３に記載の画像表示装置。
【請求項５】
ユーザを識別するユーザ識別情報と、当該ユーザの予定を表す予定情報と、当該予定の開始日時を表す開始日時情報と、を対応付けて記憶する予定情報記憶部と、
前記予定情報記憶部に記憶された予定情報で表される予定を表す予定画像を生成する予定画像生成部と、をさらに備え、
前記情報入力部は、前記予定情報記憶部から、当該予定を実行するユーザのユーザ識別情報と、当該予定の開始日時を表す開始日時情報と、を入力し、前記予定画像生成部から、当該予定を表す予定画像の画像情報を入力し、
前記決定部は、前記予定の開始日時から第一時間前までのタイミングであって、前記撮像画像から前記予定を実行するユーザが検出されてから第二時間以内のタイミングを前記予定画像の表示開始タイミングとし、前記予定画像を表示する頻度を、前記予定画像の表示日時が前記予定の開始日時よりも前であり、当該表示日時が当該予定の開始日時に近いほど高く決定する、
ことを特徴とする請求項２又は３に記載の画像表示装置。
【請求項６】
前記情報入力部は、インターフォン又は防犯装置から、前記インターフォン又は前記防犯装置が撮像した撮像画像を表す画像情報を入力し、
前記決定部は、前記撮像画像の表示開始タイミングを、前記情報入力部で入力された撮像日時情報で表される撮像日時から所定時間以内のタイミングとし、前記表示部による前記撮像画像の表示日時が、前記情報入力部で入力された撮像日時情報で表される撮像日時から遠くなるほど当該撮像画像が表示される頻度を低く決定する、
ことを特徴とする請求項１に記載の画像表示装置。
【請求項７】
前記表示部の表示方向に向けて撮像する撮像部と、
前記撮像部が撮像した撮像画像に表されたユーザを検出するユーザ検出部と、をさらに備え、
前記情報入力部は、サーバから受信された画像情報と、前記画像情報を識別する画像識別情報とを入力し、
前記表示部が前記受信画像を表示している間に前記撮像部で撮像された撮像画像から前記ユーザ検出部がユーザを検出した検出回数に基づいて当該受信画像の評価を決定し、当該決定された評価を表す評価情報と、前記受信画像を識別する画像識別情報と、を前記サーバへ送信する送信部をさらに備え、
前記決定部は、前記検出回数が高いほど前記受信画像が表示される頻度を高く決定する、
ことを特徴とする請求項１に記載の画像表示装置。
【請求項８】
コンピュータを、
画像を表す第一画像情報を記憶する画像情報記憶部、
前記画像情報記憶部に記憶されていない前記第一画像情報と異なる第二画像情報を入力する情報入力部、
前記情報入力部が入力した前記第二画像情報で表される画像の表示が開始される表示開始タイミングを決定する決定部、
前記画像情報記憶部に記憶されている前記第一画像情報で表される前記画像を表示するタイミングの前及び後の少なくとも一方である、前記決定部で決定された表示開始タイミングになると、前記情報入力部で入力された前記第二画像情報で表される画像を表示する表示部、として機能させる、
ことを特徴とする画像表示プログラム。
【請求項９】
画像を表す第一画像情報を記憶する画像情報記憶部を備えた画像表示装置の画像表示方法であって、
前記画像情報記憶部に記憶されていない前記第一画像情報と異なる第二画像情報を入力する情報入力ステップと、
前記情報入力ステップが入力した前記第二画像情報で表される画像の表示が開始される表示開始タイミングを決定する決定ステップと、
前記画像情報記憶部に記憶されている前記第一画像情報で表される前記画像を表示するタイミングの前及び後の少なくとも一方である、前記決定ステップで決定された表示開始タイミングになると、前記情報入力ステップで入力された前記第二画像情報で表される画像を表示する表示ステップと、
を含むことを特徴とする画像表示方法。